(57)【要約】      （修正有）【課題】極めて簡易な構造であり、運搬や設置が容易なボディバランスチェックシートを提供する。【解決手段】可撓性を有する縦長のシートの横方向における略中央に基準線１４を設け、前記基準線と平行および直交する関係にある複数の補助線１６、１８を設けたことを特徴とするボディバランスチェックシート１０であり、またボディバランスチェックシート１０を縦方向に展開させた状態で支持するスタンド式ボディバランス測定器になり、さらにはボディバランスチェックシート１０を展張した状態で臥位面としたベッド式ボディバランス測定器になる。【選択図】図２
0003210681.tif 000002
【実用新案登録請求の範囲】
【請求項１】
可撓性を有する縦長のシートの横方向における略中央に基準線を設け、前記基準線と平行および直交する関係にある複数の補助線を設けたことを特徴とする、
ボディバランスチェックシート。
【請求項２】
前記基準線および前記補助線が、実線および点線、破線から選択される一つの線、もしくは複数の線の組み合わせで構成されていることを特徴とする、
請求項１に記載のボディバランスチェックシート。
【請求項３】
前記基準線および前記補助線が、５ｃｍもしくは１０ｃｍの間隔で設けられていることを特徴とする、
請求項１または２に記載のボディバランスチェックシート。
【請求項４】
前記シートの上端および下端の少なくとも何れか一方に横長の芯棒を設け、前記芯棒の周囲に前記シートを巻き回して収納可能にしたことを特徴とする、
請求項１乃至３の何れかに記載のボディバランスチェックシート。
【請求項５】
前記シートの裏側に強磁性体で構成されたプレートを設けていることを特徴とする、
請求項１乃至３の何れかに記載のボディバランスチェックシート。
【請求項６】
請求項１乃至３の何れかに記載のボディバランスチェックシートを縦方向に展開させた状態で支持するスタンド式ボディバランス測定器であって、
前記シートの上端部を固定するシート固定部と、
前記シートを下端部から巻き回して収納するシート収納部を備える、
スタンド式ボディバランス測定器。
【請求項７】
請求項１乃至３の何れかに記載のボディバランスチェックシートを展張した状態で臥位面としたことを特徴とする、
ベッド式ボディバランス測定器。
【考案の詳細な説明】
【技術分野】
【０００１】
本考案は、身体の歪みなどを目視的に確認することができるボディバランスチェックシートに関する。
【背景技術】
【０００２】
従来、この種のものとして、特許文献１に記載の体形測定器がある。この体形測定器は、平面板と左右側板、底面板の４枚の板で構成され、４枚の板に囲まれた位置に被測定者を収容し、板に設けられた複数の縦線および横線を基準として被測定者の体形や骨格の歪みなどを測定する器具である。しかし、この体形測定器を実際の施術現場に導入することを想定した場合、以下に挙げるような問題がある。まず、この体形測定器は立体的な構造であり、設置の際に相当の空間を必要とするため、狭い店舗における導入は困難である。さらに、４枚の板を使用しているため、移動させるのが困難である。また、このような大掛かりな構造であるため、導入のための費用が嵩む。また、安定させるために平坦面に設置しなければならないため、設置場所の自由度が小さい。
【先行技術文献】
【特許文献】
【０００３】
【特許文献１】実開昭５９−３３４０５号公報
【考案の概要】
【考案が解決しようとする課題】
【０００４】
このような従来品の問題点に鑑み、本考案は、極めて簡易な構造で、場所を選ばずに設置することができるボディバランスチェックシートを提供することを目的とする。
【課題を解決するための手段】
【０００５】
前述の課題を解決するため、本考案は、以下に示すように構成されるボディバランスチェックシートおよびその応用品を提案する。
【０００６】
本考案の第１の態様は、可撓性を有する縦長のシートの横方向における略中央に基準線を設け、前記基準線と平行および直交する関係にある複数の補助線を設けたことを特徴とするボディバランスチェックシートである。
【０００７】
本考案のボディバランスチェックシートを用いることで、縦長のシートの前面に立位姿勢で静止した被験者を、目視もしくは撮画像によって確認することによって、身体の歪みや傾きなどのボディバランスをチェックすることができる。シート自体は可撓性を有する素材（例えば、繊維、紙、皮革、樹脂など。）で構成されており、従来品のように強固な枠組みを備えていないため、軽量で持ち運びも容易である。また保管時には小さく折りたたむことができ、収納性も高い。シートの上端および下端の少なくとも何れか一方に横長の芯棒を設け、芯棒の周囲にシートを巻き回して収納できるようにすれば、収納が楽なだけではなく、使用時にも簡単に展開することができる。
【０００８】
基準線および補助線は、遠目にみて直線状に見えるものであれば、実線もしくは点線、破線など線種は問わない。また図形を直線状に並べたものでもよい。線の色も黒が基本ではあるが、赤や青などの色も用いることができる。各線の間隔も自由に設定することができるが、概ね５ｃｍ程度であれば局所的なバランス（例えば、左右の肩の高さや骨盤の歪み）の確認に好適である。
【０００９】
シートの裏側に強磁性体で構成されたプレートを設け、表側に磁石がつくようにすれば、被験者のボディバランスを目印として残すことができる。整骨院などで使用する場合、施術前と施術後のボディバランスの変化を目印の場所の違いによって確認することができる。
【００１０】
本考案の第２の態様は、前記ボディバランスチェックシートを縦方向に展開させた状態で支持するスタンド式ボディバランス測定器であって、前記シートの上端部を固定するシート固定部と、
前記シートを下端部から巻き回して収納するシート収納部を備えるスタンド式ボディバランス測定器である。
【００１１】
本考案のスタンド式ボディバランス測定器は、ボディバランスチェックシートの収納設備とスタンド設備が一体化されているため、屋内はもとより屋外への持ち運びや持ち出しが容易であり、一人でも簡単に設置、撤去することができる。
【００１２】
本考案の第３の態様は、前記ボディバランスチェックシートを展張した状態で臥位面としたことを特徴とするベッド式ボディバランス測定器である。
【００１３】
本考案のベッド式ボディバランス測定器は、全身の筋肉が緊張状態にある立位姿勢時のボディバランスとは異なり、弛緩状態にある臥位姿勢時のボディバランスを確認することができる。整骨院に常備されている施術用ベッドの横画面にボディバランスチェックシートを展張した状態で設置すれば、店舗内のスペースに余裕がなくても臥位姿勢時のボディバランスを確認することができる。
【考案の効果】
【００１４】
本考案によれば、極めて簡易な構造であり、運搬や設置が容易なボディバランスチェックシートを提供することができる。
【図面の簡単な説明】
【００１５】
【図１】ボディバランスチェックシートの一実施形態を示す図
【図２】ボディバランスチェックシートの使用状態を示す図
【図３】スタンド式ボディバランス測定器の一実施形態を示す図
【図４】ベッド式ボディバランス測定器の一実施形態を示す図
【考案を実施するための形態】
【００１６】
本考案の実施形態について、添付図面を参照して説明する。先ず、図１および図２を参照してボディバランスチェックシートの構成および作用について説明する。ボディバランスチェックシート１０は、高さ約２１０ｃｍ、幅約８５ｃｍの縦長のシート１２の表面に基準線１４および補助線１６、１８を設けたものである。基準線１４は、幅方向の略中央に縦方向に延びる一本の直線として設けられている。補助線１６は、基準線１４と平行な関係にある複数の直線であり、各補助線１６は５ｃｍ間隔で設けられている。補助線１８は、基準線１４と直交する関係にある複数の直線であり、各補助線１８は５ｃｍ間隔で設けられている。なお基準線１４および補助線１６の間隔は５ｃｍもしくば１０ｃｍが適当ではあるが、使用目的や態様に応じて適宜広くしたり狭くしたりしてもよい。シート１２の上端と下端には横長の芯棒２０、２２を設ける。これらの芯棒２０、２２は、シート１２をシワや捩れが生じないように平坦に展張させるための形状保持や重しの役割とともに、シート１２をその周囲に巻き回して収納や運搬の際の便に供する役割がある。
【００１７】
ボディバランスチェックシート１０の使用方法は次の通りである。ボディバランスチェックシート１０は基本点には検査者と被験者の二人一組で使用する。図２に示すように、被験者２４はボディバランスチェックシート１０の表面側に背を向けて立ち、被験者の正面側に検査者が位置する。被験者２４は検査者の指示に従って前後左右に微動し、検査者から見て基準線１４と被験者２４の左右の中心が合致する位置に立位姿勢で静止する。検査者は縦横の補助線１６、１８との位置関係によって被験者２４の左半身と右半身のバランスをチェックする。またボディバランスチェックシート１０を背景として被験者２４を撮像もしくは撮影し、被験者自身がボディバランスを視覚的に確認できるようにする。
【００１８】
次に、図３を参照してスタンド式ボディバランス測定器の構成および作用について説明する。スタンド式ボディバランス測定器３０は、バナースタンド３２の広告面（表面）に前述したボディバランスチェックシート１０を適用したものである。バナースタンド３２にはロールアップ装置３４が組み込まれており、運搬の際や不使用時にはボディバランスチェックシート１０を巻き取って収納しておくことができる。使用する際にはボディバランスチェックシート１０をロールアップ装置３４から引き出し、芯棒２０をバナースタンド３２の上端に掛けて縦方向に展張させる。
【００１９】
次に、図４を参照してベッド式ボディバランス測定器について説明する。ベッド式ボディバランス測定器４０は、整体や整骨に使用する施術用ベッド４２の臥位面（上面）に前述したボディバランスチェックシート１０を適用したものである。ボディバランスチェックシート１０は施術用ベッド４２の臥位面を被覆するように設置してもよいし、もしくは臥位面自体にポリウレタン製のボディバランスチェックシート１０を適用してもよい。
【符号の説明】
【００２０】
１０    ボディバランスチェックシート
１２    シート
１４    基準線
１６    補助線（縦）
１８    補助線（横）
２０    芯棒（上端）
２２    芯棒（下端）
２４    被験者
３０    スタンド式ボディバランス測定器
３２    バナースタンド
３４    ロールアップ装置
４０    ベッド式ボディバランス測定器
４２    施術用ベッド
【図１】
0003210681.tif 000003
【図２】
0003210681.tif 000004
【図３】
0003210681.tif 000005
【図４】
0003210681.tif 000006